(57)【特許請求の範囲】
【請求項１】
サービス提供者により事前に用意された複数の抽選条件に係るデータと複数の当選パターンに係るデータを記憶する記憶手段と、
前記複数の抽選条件に係るデータと前記複数の当選パターンに係るデータから特定の抽選条件に係るデータと当選パターンに係るデータを照合対象として選択する選択手段と、
利用者の決済用携帯端末内に保存された前記サービス提供者の店舗での金銭支払いに係る履歴データが読み取られ、当該履歴データが選択された前記特定の抽選条件に係るデータを満たすときに抽選を実行し、前記抽選を実行した時刻が選択された前記特定の当選パターンに係るデータに含まれる当選条件を満たすときに当選処理を行う抽選実行手段と、
を備えることを特徴とする抽選の当選数計画システム。
【請求項２】
前記当選条件は事前に設定された当選時間範囲であり、前記抽選を実行する前記時刻が前記当選時間範囲内に含まれるときに前記当選処理を行うことを特徴とする請求項１記載の抽選の当選数計画システム。
【請求項３】
前記履歴データは、前記サービス提供者の商品販売店舗での買い物で使用された支払い処理済みのＩＣカード内に保存される履歴データであることを特徴とする請求項１または２記載の抽選の当選数計画システム。
【請求項４】
当日における前記抽選によって余った前記当選パターンに係るデータは翌日の当選パターンに係るデータに挿入されることを特徴とする請求項１〜３のいずれか１項に記載の抽選の当選数計画システム。
【発明の詳細な説明】
【技術分野】
【０００１】
本発明は抽選の当選数計画システムに関し、特に、イベントで抽選会を行い景品を提供するサービスを行う場合であって景品数が決まっているときに当選数を計画的に決定するのに好適な抽選の当選数計画システムに関するものである。
【背景技術】
【０００２】
各種の催し物等のイベントでは、当該イベントに参加し集まった人に対してサービスとして景品を用意して抽選会を行い当選者に対して景品を提供することがある。この種の抽選会では、通常的に、コンピュータを利用した電子的な抽選装置であって、抽選参加者がコンピュータに対してくじ引きの入力操作を行うと、それに基づいて当該コンピュータが抽選実行プログラムを実行して抽選実行手段を実現し、抽選を行う抽選装置が用いられている。この抽選装置では、一般的には、抽選実行プログラムの中に当たりくじの数（当選数）を決める確率が一定の値で設定されている。この一定の値の確率を利用する抽選装置の構成では、当選数は、抽選参加者の人数に応じて決まることになる。抽選参加者の人数が多い場合には当選数が多くなり、人数が少ない場合には当選数が少なくなる。
【０００３】
また従来の技術として遊技店における売上利益還元方法等が提案されている（特許文献１を参照）。この方法等では、パチンコ店に設置された各パチンコ台で、売上げの利益を遊技者に還元する方法および装置構成が提案されている。そのためにパチンコ台で当たりを出す比率を売上げ利益に応じて調整し、遊技者に有利になるようにしている。具体的には、当該パチンコ台の動作を制御するコンピュータによって、最初に目標割数（目標とする比率または確率）を設定しておき、パチンコ台の稼働状態の情報と取り込み、当該情報に基づき、遊技者に売上げ利益の一部を還元するように割数を調整するようにしている。従って当たりくじの数を決める確率は一定ではなく、変えることができるようになっているが、当該確率の変更はパチンコ店の売上げ利益に応じて行われるものであり、抽選参加者の人数に応じて行われるようにしたものではない。
【先行技術文献】
【特許文献】
【０００４】
【特許文献１】特開平８−２３４２３５号公報
【発明の概要】
【発明が解決しようとする課題】
【０００５】
従来の抽選装置のシステム構成では、一定値の確率を利用して当選数を決めているので、抽選参加者の人数に応じて当選数が変動することになる。この場合に、景品数が予め決まっているときには、景品が不足したり、あるいは余ってしまうことになる。景品が余ると、在庫管理が大変になる。また抽選参加者の人数に応じて当選数が変動するので、景品の在庫の計画を立てることが難しいことになる。従って、抽選装置のシステム構成において景品数が決まっている場合には、抽選参加者の人数の変化に応じて当選数を適切に管理し、当選数を計画的に決定することが望まれている。
【０００６】
本発明の目的は、上記の課題に鑑み、抽選参加者の数に関係なく当選数を計画的に決定することができ、当選数を管理し、景品在庫の計画を有効に立てることができる抽選の当選数計画システムを提供することにある。
【課題を解決するための手段】
【０００７】
本発明に係る抽選の当選数計画システムは、上記の目的を達成するため、次のように構成される。
【０００８】
第１の抽選の当選数計画システム（請求項１に対応）は、
サービス提供者により事前に用意された複数の抽選条件に係るデータと複数の当選パターンに係るデータを記憶する記憶手段と、
複数の抽選条件に係るデータと複数の当選パターンに係るデータから特定の抽選条件に係るデータと当選パターンに係るデータを照合対象として選択する選択手段と、
利用者の決済用携帯端末内に保存されたサービス提供者の店舗での金銭支払いに係る履歴データが読み取られ、当該履歴データが選択された特定の抽選条件に係るデータを満たすときに抽選を実行し、抽選を実行した時刻が選択された特定の当選パターンに係るデータに含まれる当選条件を満たすときに当選処理を行う抽選実行手段と、
を備えるように構成される。
【０００９】
上記の抽選の当選数計画システムでは、抽選のサービスを提供するサービス提供者が複数の抽選条件に係るデータと複数の当選パターンに係るデータを用意して記憶手段に事前に記憶させるようにし、複数の抽選条件に係るデータのうち選択された特定の抽選条件に係るデータに基づいて抽選を実行する手段によって抽選を行うとき、当選の数を確率的に設定するのではなく、複数の当選パターンに係るデータとして事前に計画的に設定し、その中から選択された特定の当選パターンに係るデータに基づいて当選数を計画的に決定し、当選数を管理する。
【００１０】
第２の抽選の当選数計画システム（請求項２に対応）は、上記の構成において、好ましくは、当選条件は事前に設定された当選時間範囲であり、抽選を実行する時刻が当選時間範囲内に含まれるときに当選処理を行うことを特徴とする。
【００１１】
第３の抽選の当選数計画システム（請求項３に対応）は、上記の構成において、好ましくは、履歴データは、サービス提供者の商品販売店舗での買い物で使用された支払い処理済みのＩＣカード内に保存される履歴データであることを特徴とする。
【００１３】
第４の抽選の当選数計画システム（請求項４に対応）は、上記の構成において、好ましくは、当日における抽選によって余った当選パターンに係るデータは翌日の当選パターンに係るデータに挿入されることを特徴とする。
【発明の効果】
【００１４】
本発明によれば、コンピュータを利用して構成された抽選実行手段によって抽選を行う場合において、当選数を確率的に設定するのではなく、複数の抽選条件に係るデータと当選を決定する複数の当選パターンに係るデータをサービス提供者が事前に作成しメモリに用意しておき、選択された特定の抽選条件に基づく抽選処理時にその中から選択された特定の当選パターンに係るデータを使用して当選を決めるようにしたため、当該当選パターンに係るデータに基づき事前に計画的に設定することができ、これにより当選数を計画的に決定することができ、当選数を管理することができ、さらに景品在庫の計画を有効に立てることができるという効果が発揮される。
【図面の簡単な説明】
【００１５】
【図１】本発明に係る抽選の当選数計画システムの代表的な実施形態の構成を示すブロック図である。
【図２】本実施形態に係る抽選の当選数計画システムの機能ブロック図である。
【図３】当選パターンの一例を示す図表である。
【図４】本実施形態に係る抽選の当選数計画システムに基づく抽選処理の全体の流れを示すフローチャートである。
【図５】抽選実行手段によって実施される抽選処理の内容を示すフローチャートである。
【図６】抽選実行手段によって実施される在庫繰越処理の内容を示すフローチャートである。
【発明を実施するための形態】
【００１６】
以下に、本発明の好適な実施形態（実施例）を添付図面に基づいて説明する。
【００１７】
図１および図２は、本発明に係る抽選の当選数計画システムの代表的な実施形態の構成を示している。この抽選の当選数計画システムでは、一例として、コンビニエンス・ストア等の商品販売店舗１１に適用した例を示している。
【００１８】
本実施形態に係る抽選の当選数計画システムは、図１に示すように、商品販売店舗１１内において、レジ１２の近くの箇所にて抽選端末または抽選装置１３（以下では「抽選端末１３」と記す。）として備えられる。さらに図１に示すように、抽選端末１３は、構成要素として、ＩＣカードリーダライタ２１と、プリンタ２２と、表示装置２３と、ＣＰＵ２４と、メモリ２５を備えている。ＣＰＵ２４とメモリ２５はマイコンにより構成されている。図示例では、抽選端末１３はそれのみで完結した個別のスタンドアロン型コンピュータとして構成されているが、ネットワークを介して遠隔の上位の管理コンピュータ（サーバ）に接続され、管理コンピュータの管理下の抽選実行手段に基づいて抽選を実行するように構成することもできる。メモリ２５の中には、抽選プログラム２６と、当選パターンセットデータ２７と、抽選条件セットデータ２８が記憶されている。抽選プログラム２６に基づく処理内容の詳細は後述される。通常、利用者１４は、特定の商品販売店舗１１で必要な商品を購入し、その後に商品販売店舗１１のレジ１２に行って物販に使用できるＩＣカード１５を利用して金銭の支払いを行う。このＩＣカード１５は、例えば、交通系で利用されている市販のＩＣカードや、その他のお財布携帯であり、支払い決済を行うことができる電子的携帯端末である。本実施形態に係る抽選の当選数計画システムでは、ＩＣカード１５を使用した金銭の支払いの際において、当該ＩＣカード１５を使って一定額以上の買い物をした場合には抽選を行う権利が与えられるものと仮定している。一定額以上の買い物をしたか否かについては、ＩＣカード１５の内蔵メモリに記録された買い物の履歴データ（購入金額等）に基づいて判断される。
【００１９】
図２において、上記の抽選プログラム２６はＣＰＵ２４に読み込まれ実行されることにより、抽選実行手段（抽選実行装置）３１が実現される。抽選実行手段３１は、ＩＣカード入力手段としてのＩＣカードリーダライタ２１が利用者１４のＩＣカード１５内のメモリに記録された履歴データ３２を読み取ったときに、当該履歴データ３２をＩＣカードリーダライタ２１から提供される。そして、抽選実行手段３１は当該履歴データ３２に基づいて利用者１４が抽選を行う権利を有するか否かを判断し、抽選を行う権利を有すると判断した場合には抽選処理を実行する。履歴データ３２に基づき抽選を行う権利を有するか否かを判断するときには、複数の抽選条件を含む上記の抽選条件セットデータ２８から特定の抽選条件を選択して照合対象として用いる。この抽選条件は、サービス提供者１６によって事前に適宜に設定され、メモリ２５に記憶されている。また抽選処理を実行するときには、抽選実行手段３１は、複数の当選パターンを含む当選パターンセットデータ２７から特定の当選パターンを選択し、当該当選パターンを参照して当選時間内であるか否かを判定して抽選を実行する。複数の抽選条件および複数の当選パターンは、抽選を実行するサービス提供者１６によって事前に計画されるものである。抽選実行手段３１によって実行された抽選処理に基づく抽選結果３３は表示装置２３の画面に表示され、また当選したときには当選券３４に係る情報がプリンタ２２に提供され、プリンタ２２から当選券３４が紙で出力される。抽選の結果、当選した場合には、利用者１４は当選券３４を得る。利用者１４はこの当選券３４を景品に交換することができる。
【００２０】
図３に上記の当選パターンの一例を示す。当選パターン２７ａはテーブル形式のデータである。テーブル形式の当選パターン２７ａにおいて１レコードが１件の当選に当たる。テーブル形式の当選パターン２７ａにおいて上辺部にレコードに関する複数の項目が記載されている。複数の項目には、「ＩＤ」、「景品」、「当選範囲開始時間」、「当選範囲終了時間」、「当選計画時刻」、「カードＩＤ」、「当選時刻」が含まれている。
【００２１】
「ＩＤ」はテーブル形式の当選パターン２７ａにおいて１レコードを識別するＩＤ値である。「景品」は景品の種類（例として１等、２等、３等など）を示している。「当選範囲開始時間」と「当選開始終了時間」は、或る抽選を行う時においてその抽選を開催する期間を示している。この例では、１日毎である。「当選計画時刻」はそのレコードに設定した景品が当選となる時刻を示している。この実施形態に係る抽選の当選数計画システムでは、当選計画時刻から当選範囲終了時間までの間の時間範囲内に抽選を行った利用者が当選するようになっている。「カードＩＤ」はそのレコードに設定した景品を当選させた利用者の所持するカードＩＤを記録する。当該カードＩＤが記録されていることに基づいて当該レコードは当選済みと判断する。「当選時刻」はそのレコードに設定した景品を当選させた時刻を記録する。
【００２２】
図３に示した当選パターン２７ａによれば、当選数を１日毎に計画する例を示しており、一例として２００９年１２月２３日分、２００９年１２月２４日分、２００９年１２月２５日分の当選数を設定している。この当選パターン２７ａによれば、当選の発生を「時間範囲」という概念で決定するようにしている。これにより、日々の当選数を制御することが可能となり、抽選参加者数および景品残数（在庫数）に応じて景品が過不足なく処理されるようになっている。
【００２３】
次に、図４〜図６のフローチャートを参照して抽選実行手段３１で実行される抽選動作の内容について説明する。
【００２４】
図４に示したフローチャートを参照して本実施形態に係る抽選の当選数計画システムに基づく抽選処理の全体の流れを説明する。
【００２５】
先ず最初のステップＳ１１において複数の当選パターンが作成される。複数の当選パターンはサービス提供者１６によって作成され、当選パターンセットデータ２７として、図１で示した入力装置２９を介して抽選端末１３のメモリ２５に保存される。抽選端末１３において抽選実行手段３１によって抽選を行う権利有する利用者１４に関して抽選を実行する時にメモリ１３に記憶された当選パターンが用いられる。
【００２６】
次のステップＳ１２では、抽選のサービスを行う期間内か否かが判断される。当然のことながら、判断ステップＳ１２で「期間外である」（ＮＯ）と判断されたときには、抽選端末１３の動作は抽選処理を行うことなく終了する。「抽選のサービスを行う期間」は例えば店舗毎のサービス提供者１６のビジネス状況（時期に応じた特定なサービスイベント等）に応じて予め任意に定められ、「抽選のサービスを行う期間」に係るデータはメモリ２５に保存されている。
【００２７】
判断ステップＳ１２で「期間内である」（ＹＥＳ）と判断されたときには、抽選が実行される側に処理が流れ、次の判断ステップＳ１３において商品販売店舗１１における営業が終了したか否かが判定される。判断ステップＳ１３で「営業期間内である」（ＹＥＳ）と判断されたときには、さらに次の判断ステップＳ１４で抽選開始要求があるか否かが判断される。判断ステップＳ１３で「営業期間外である」（ＮＯ）と判断された場合には在庫繰越の処理（サブルーチン）が実行される（ステップＳ１５）。在庫繰越の処理は、当日の当選が残り、結果として景品が残ったときに、この在庫の景品を翌日の抽選のための景品に含ませるための処理である。データ処理的には、当日の当選に係るデータを翌日の当選パターンに係るデータに挿入する。在庫繰越の処理の内容は図６を参照して後述される。ステップＳ１５が終了すると、また判断ステップＳ１２に戻る。上記において「営業期間」は店舗毎に設定されているので、「営業期間」に係るデータは商品販売店舗１１を経営するサービス提供者１６によってメモリ２５に保存される。
【００２８】
判断ステップＳ１４において抽選開始要求がない（ＮＯ）の場合には判断ステップＳ１２に戻る。また判断ステップＳ１４において抽選開始要求がある（ＹＥＳ）の場合には抽選処理（サブルーチン）が開始され実行される（ステップＳ１６）。抽選処理（ステップＳ１６）が終了すると、判断ステップＳ１２に戻る。抽選処理のステップＳ１６の内容は図５を参照して詳述される。
【００２９】
上記において判断ステップＳ１４での「抽選開始要求」は、ＩＣカードリーダライタ２１から送られているＩＣカード１５の履歴データに関して、選択された抽選条件と照合して一定額以上の買い物をしたか否かということに基づいて生じる。一定額以上の買い物をしたときには「抽選開始要求」が発生し、そうでないときに「抽選開始要求」は発生しない。
【００３０】
図５に示したフローチャートを参照して抽選実行手段３１によって実施される抽選処理（ステップＳ１６）の流れを説明する。
サブルーチンとして構成される抽選処理（ステップＳ１６）では、当該処理が開始される初期の時点で、前日で残った景品は繰り越されて今回の抽選処理で使用される当選パターンに組み込まれている。抽選処理の開始後、先ず、判断ステップＳ２１において抽選処理を行う時点が当選時間範囲内か否かを判断する。当選を出す条件は、予め使用された当選パターンにて決められた「当選時間範囲」に基づき設定されているので、判断ステップＳ２１において当該当選パターンを参照することになる。判断ステップＳ２１で当選時間範囲内である（ＹＥＳ）と判断された場合には「当選」の決定処理がなされる（ステップＳ２２）。判断ステップＳ２１で当選時間範囲外である（ＮＯ）と判断された場合には「ハズレ」の決定処理がなされる（ステップＳ２３）。「当選」の決定処理（ステップＳ２１）が行われると、その後、前述の当選結果３３が表示装置２３の画面に表示されかつプリンタ２２から前述の当選券３４が出力される（ステップＳ２４）。「ハズレ」の決定処理（ステップＳ２２）がなされると、その後、当選結果３３が表示装置２３の画面に表示される。その後、抽選処理の流れは終了する。当選した利用者１４は当選券３４を取得することになる。
【００３１】
次に図６に示したフローチャートを参照して抽選実行手段３１によって実施される在庫繰越処理（ステップＳ１５）の流れを説明する。
この在庫繰越処理では、最初の段階で、「当選」の残りが存在するか否かを判断する（ステップＳ３１）。この抽選方法では、予め、前述した当選パターンに基づいてサービス期間内の各日ごとに景品の個数、すなわち当選数が決められているので、当選数の残りを抽選実行手段３１は知ることができる。そこで、判断ステップＳ３１において当選数の残を判断する。判断ステップＳ３１において「当選残」がある（ＹＥＳ）場合には、次の処理ステップＳ３２で翌日の当選パターンに当選残に係るデータをランダムに挿入する。他方、判断ステップＳ３１において「当選残」がない（ＮＯ）場合には処理を終了する。
【００３２】
上記において、当選パターンで設定される当選計画については、当選出現の期間を例えば１日当たり何時から何時の間に設定したり、当選出現の本数を抽選期間にて何本と設定することが可能である。また当選計画を決める当選パターンに関してはサービス期間の途中で、例えば１日単位、あるいは営業時間単位で、見直して変更するようにも構成することができる。また抽選の当選数計画システム自体に抽選参加者数の変化情報に基づいて学習機能を持たせるように構成することもできる。
【００３３】
以上の実施形態で説明された構成、形状、大きさおよび配置関係については本発明が理解・実施できる程度に概略的に示したものにすぎない。従って本発明は、説明された実施形態に限定されるものではなく、特許請求の範囲に示される技術的思想の範囲を逸脱しない限り様々な形態に変更することができる。
【産業上の利用可能性】
【００３４】
本発明に係る抽選の当選数計画システムは、例えば商品販売店舗において特定のイベントに関連して抽選会を行って景品を提供とするというサービスを行う場合であって景品数が決まっている場合に、抽選における当選の出現を計画的に決定し、抽選参加者数が変動しても当選数を大きく変動しないようにし、当選の出現を管理し、景品在庫の計画を立照ることに利用される。
【符号の説明】
【００３５】
１１          商品販売店舗
１２          レジ
１３          抽選端末（抽選装置）
１４          利用者
１５          ＩＣカード
１６          サービス提供者
２１          ＩＣカードリーダライタ
２２          プリンタ
２３          表示装置
２４          ＣＰＵ
２５          メモリ
２６          抽選プログラム
２７          当選パターンセットデータ
２７ａ        当選パターン
２８          抽選条件セットデータ
２９          入力装置
３１          抽選実行手段（抽選実行装置）
３２          履歴データ
３３          抽選結果
３４          当選券
【図１】
0005921064.tif 000002
【図２】
0005921064.tif 000003
【図３】
0005921064.tif 000004
【図４】
0005921064.tif 000005
【図５】
0005921064.tif 000006
【図６】
0005921064.tif 000007